(57)【要約】【課題】自動販売機本体の剛性を保持しながら、熱ロスの低減化を図ることができる自動販売機を提供すること。【解決手段】前面に開口を有する本体キャビネット（１０）の内部に断熱ボード材１７を付設することにより形成された商品収容室２０と、本体キャビネットに開閉可能に配設され、閉動作した場合に商品収容室２０の前面開口を閉成する内扉４０と、鋼板を屈曲加工して形成され、かつ商品収容室２０の前面開口の一側縁部に沿って延在する長尺状の補強フレーム材３１と、商品収容室２０の内方に突出する態様で設けられた補強フレーム材３１の取付部３１３に取り付けられ、かつ内扉４０が商品収容室２０の前面開口を閉成する場合に自身が弾性変形して商品収容室２０を気密に保持する化粧枠材３２とを備えた自動販売機において、補強フレーム材３１の取付部３１３は、矩形状の切欠が形成された切欠部３１４が長手方向に沿って等間隔で設けたものである。【選択図】図６
2011108095.tif 000002
【特許請求の範囲】
【請求項１】
前面に開口を有する自動販売機本体の内部に断熱ボード材を付設することにより形成された断熱構造の商品収容室と、
前記自動販売機本体に開閉可能に配設され、閉動作した場合に前記商品収容室の前面開口を閉成する扉体と、
鋼板を屈曲加工して形成され、かつ前記商品収容室の前面開口の一縁部に沿って延在する長尺状の補強フレーム材と、
前記商品収容室の内方に突出する態様で設けられた前記補強フレーム材の取付部に取り付けられ、かつ前記扉体が前記商品収容室の前面開口を閉成する場合に自身が弾性変形して該商品収容室を気密に保持する化粧枠材と
を備えた自動販売機において、
前記補強フレーム材の取付部は、所定形状の切欠が形成された切欠部が長手方向に沿って所定間隔で設けてあることを特徴とする自動販売機。
【請求項２】
前記補強フレーム材の取付部は、矩形状の前記切欠部が長手方向に沿って等間隔で設けてあることを特徴とする請求項１に記載の自動販売機。
【発明の詳細な説明】
【技術分野】
【０００１】
本発明は、自動販売機に関し、より詳細には、例えば缶入り飲料やペットボトル入り飲料等の商品を販売する自動販売機に関するものである。
【背景技術】
【０００２】
従来、例えば缶入り飲料やペットボトル入り飲料等の商品を販売する自動販売機としては、前面が開口した直方状の本体キャビネット（自動販売機本体）の内部に断熱構造を有する商品収容室が設けられている。この商品収容室を断熱仕切板で仕切ることにより複数の商品収容庫が設けられ、この商品収容庫の内部雰囲気を加熱若しくは冷却することによって該商品収容庫の内部に収容された商品を所望の温度状態に維持するようにしている。
【０００３】
例えば、ホット商品を販売する場合には、商品収容庫の内部を加熱ヒータにより５５℃程度に加熱する一方、コールド商品を販売する場合には、商品収容庫の内部を冷却ユニットにより５℃程度に冷却しており、利用者の選択した商品をそれぞれ最適販売温度で提供するようにしている。
【０００４】
ところで、上述したような商品収容室は、本体キャビネットの内部に断熱ボード材を付設することにより形成されており、前面が開口している。このような商品収容室の前面開口のそれぞれの側縁部には、長尺状の補強フレーム材が配設されている。
【０００５】
補強フレーム材は、鋼板を屈曲加工して形成されるもので、側縁部に沿って延在する態様で配設されている。かかる補強フレーム材は、本体キャビネットの側板を補強して剛性を向上させるために配設されている。このような補強フレーム材には、商品収容室の内方に突出する態様で取付部が設けられており、かかる取付部に化粧枠材が取り付けてある。
【０００６】
化粧枠材は、弾性材から形成されるもので、本体キャビネットの側板に沿って付設された断熱ボード材を保持するためのもので、かつ本体キャビネットの一側縁部に開閉可能に設けられた内扉を閉動作させて商品収容室の前面開口を閉成する場合に、自身が弾性変形して該商品収容室を気密に保持するためのものである（例えば、特許文献１参照）。
【先行技術文献】
【特許文献】
【０００７】
【特許文献１】特開２００７−３４８３１号公報
【発明の概要】
【発明が解決しようとする課題】
【０００８】
ところで、上述したような自動販売機においては、補強フレーム材を構成する取付部は、上下方向に沿って、すなわち商品収容室の前面開口の一側縁部に沿って延在する長尺状のものであり、鋼板から形成されるものであるから熱伝導性を有するものである。そのため、かかる取付部を通じて高い熱伝導が生じてしまい、熱ロスが過大なものになってしまうという問題があった。
【０００９】
本発明は、上記実情に鑑みて、自動販売機本体の剛性を保持しながら、熱ロスの低減化を図ることができる自動販売機を提供することを目的とする。
【課題を解決するための手段】
【００１０】
上記目的を達成するために、本発明の請求項１に係る自動販売機は、前面に開口を有する自動販売機本体の内部に断熱ボード材を付設することにより形成された断熱構造の商品収容室と、前記自動販売機本体に開閉可能に配設され、閉動作した場合に前記商品収容室の前面開口を閉成する扉体と、鋼板を屈曲加工して形成され、かつ前記商品収容室の前面開口の一縁部に沿って延在する長尺状の補強フレーム材と、前記商品収容室の内方に突出する態様で設けられた前記補強フレーム材の取付部に取り付けられ、かつ前記扉体が前記商品収容室の前面開口を閉成する場合に自身が弾性変形して該商品収容室を気密に保持する化粧枠材とを備えた自動販売機において、前記補強フレーム材の取付部は、所定形状の切欠が形成された切欠部が長手方向に沿って所定間隔で設けてあることを特徴とする。
【００１１】
また、本発明の請求項２に係る自動販売機は、上述した請求項１において、前記補強フレーム材の取付部は、矩形状の前記切欠部が長手方向に沿って等間隔で設けてあることを特徴とする。
【発明の効果】
【００１２】
本発明の自動販売機によれば、補強フレーム材の取付部は、所定形状の切欠が形成された切欠部が長手方向に沿って所定間隔で設けてあるので、補強フレーム材自体の強度を保持しながら、取付部の面積を低減させることができ、これにより、自動販売機本体の剛性を低下させる虞れがないばかりか、取付部を通じての熱伝導の割合を低下させることが可能になる。従って、自動販売機本体の剛性を保持しながら、熱ロスの低減化を図ることができるという効果を奏する。
【図面の簡単な説明】
【００１３】
【図１】図１は、本発明の実施の形態である自動販売機の内部構造を示す斜視図である。
【図２】図２は、図１に示した商品収容室を上方から見た場合を示す本体キャビネットの断面平面図である。
【図３】図３は、図２に示した商品収容室の要部を拡大して示す拡大断面平面図である。
【図４】図４は、図３に示した補強フレーム材を示すもので、商品収容室の左側縁部に沿って配設された補強フレーム材の要部を示す斜視図である。
【図５】図５は、図３に示した補強フレーム材を示すもので、本体キャビネットに取り付けた状態を示す斜視図である。
【図６】図６は、図２に示した商品収容室の要部を拡大して示す拡大断面平面図であり、図４及び図５に示した補強フレーム材の切欠部の部分を示している。
【発明を実施するための形態】
【００１４】
以下に添付図面を参照しながら、本発明に係る自動販売機の好適な実施の形態について詳細に説明する。
【００１５】
図１は、本発明の実施の形態である自動販売機の内部構造を示す斜視図である。ここで例示する自動販売機は、例えば缶入り飲料やペットボトル入り飲料等の商品を販売するためのもので、自動販売機本体である本体キャビネット１０を備えている。尚、本実施の形態においては、自動販売機を正面から見た場合の左方を左側とし、自動販売機を正面から見た場合の右方を右側として説明する。
【００１６】
本体キャビネット１０は、複数の金属板を適宜組み合わせることによって構成したもので、前面が開口した直方状に構成してある。より具体的には、天板１１、一対の側板１２，１３、底板１４、背板１５（図２参照）を接合することによって直方状の本体キャビネット１０を構成するようにしている。一対の側板１２，１３は、それぞれ底板１４よりも下方に延在しており、互いの間に台座板１６を接合してある。
【００１７】
このような本体キャビネット１０においては、天板１１、一対の側板１２，１３、底板１４及び背板１５に沿って断熱ボード材１７を付設することにより、図２に示すような断熱構造を有する商品収容室２０が設けてある。ここで、天板１１に付設された断熱ボード材１７は、商品収容室２０の天壁を構成し、側板１２，１３に付設された断熱ボード材（左側板１２に付設された断熱ボード材１７及び右側板１３に付設された断熱ボード材１７）は、それぞれ商品収容室２０の一対の側壁を構成し、底板１４に付設された断熱ボード材１７は、商品収容室２０の底壁を構成し、背板１５に付設された断熱ボード材１７は、商品収容室２０の背壁を構成している。
【００１８】
このような商品収容室２０には、複数（図示の例では２つ）の断熱仕切板２１により複数（図示の例では３つ）の独立した商品収容庫２２が左右に並設してある。
【００１９】
これら商品収容庫２２は、缶入り飲料やペットボトル入り飲料等の商品を所望の温度に維持した状態で収容するためのものである。各商品収容庫２２には、それぞれの上方部に、商品投入口を通じて投入された商品を横倒し姿勢で収容するための商品収納ラック２３が配設してある一方、搬出シュータ２４によって区画される下方に熱交換器（図示せず）が配設してあり、該熱交換器の駆動により、商品収納ラック２３に収納された飲料缶やペットボトルを所望の冷却温度、あるいは加熱温度に維持することが可能である。
【００２０】
上記自動販売機には、本体キャビネット１０の左側縁部に内扉（扉体）４０及び外扉５０がそれぞれ開閉可能に配設してある。内扉４０は、本体キャビネット１０に設けた商品収容室２０の前面を覆うのに十分な大きさを有したものであり、断熱構造を有するものである。かかる内扉４０は、閉動作した場合に、商品収容室２０の前面開口を閉成するものである。尚、図示の例では、内扉４０を上下に分割し、それぞれを個別に開閉できるようにしてある。
【００２１】
外扉５０は、本体キャビネット１０の前面開口を覆うのに十分な大きさを有したものである。この外扉５０には、図には明示しないが、その前面側にディスプレイウィンドウ、商品選択ボタン、硬貨投入口、紙幣挿入口、一体表示器、硬貨返却口及び商品取出口５１が設けてある一方、外扉５０の後面側には、硬貨処理機５２、硬貨回収箱５３及び紙幣処理機５４が設けてある。
【００２２】
ディスプレイウィンドウは、外扉５０の内部に配設されたディスプレイ台に載置される商品見本等を利用者に視認させるための窓である。商品選択ボタンは、利用者が購入商品を選択するための押ボタンスイッチであり、ディスプレイウィンドウを通じて視認される商品見本毎に用意してある。
【００２３】
硬貨投入口は、利用者が硬貨を投入するための開口である。この硬貨投入口を通じて投入された硬貨は、硬貨処理機５２においてその金種が識別され、その後、硬貨回収箱５３に収容されることになる。
【００２４】
紙幣挿入口は、利用者が紙幣を挿入するための開口である。この紙幣挿入口を通じて挿入された紙幣は、紙幣処理機５４においてその金種が識別されることになる。また上記紙幣挿入口は、紙幣処理機５４において識別できなかった紙幣を返却するための機能を有している。
【００２５】
一体表示器は、貨幣の投入金額、販売中であるか否か、釣銭があるか否か等、各種情報を利用者に表示するためのものである。硬貨返却口は、硬貨処理機５２において識別できなかった硬貨、あるいは釣銭となる硬貨を利用者に返却するための開口である。商品取出口５１は、商品収納ラック２３から払い出された商品を利用者が受け取るための開口である。
【００２６】
図３は、図２に示した商品収容室の要部を拡大して示す拡大断面平面図である。この図３にも示すように、商品収容室２０の前面開口の両側縁部には、補強フレーム材３１及び化粧枠材３２が配設してある。尚、以下においては、左側板１２に配設した補強フレーム材３１及び化粧枠材３２と、右側板１３に配設した補強フレーム材３１及び化粧枠材３２とは、左右が異なるのみで同様の構成を有していることから、左側板１２に配設された補強フレーム材３１及び化粧枠材３２について説明し、右側板１３に配設された補強フレーム材３１及び化粧枠材３２の説明は省略する。
【００２７】
補強フレーム材３１は、本体キャビネット１０（特に商品収容室２０）を補強して剛性を向上させるためのものであり、鋼板を屈曲加工して形成され、商品収容室２０の前面開口の側縁部に沿って、すなわち上下方向に沿って延在する長尺状のものである。
【００２８】
このような補強フレーム材３１は、前端部３１１が商品収容室２０の内方に延在するように折り曲げてある。また、補強フレーム材３１の略中央部には、補強部３１２が形成してある。補強部３１２は、横断面がコ字状となる態様で折り曲げた部分であり、商品収容室２０の内方に向けて張り出すように形成してある。補強フレーム材３１の後部には、取付部３１３が形成してある。取付部３１３は、横断面がＬ字状となる態様で折り曲げた部分であり、商品収容室２０の内方に向けて延在した後に後方に向けて延在するように形成してある。つまり、取付部３１３は、商品収容室２０の内方に向けて突出する態様で設けてある。
【００２９】
化粧枠材３２は、弾性材料から形成されたもので、補強フレーム材３１の取付部３１３に取り付けられて設けてある。この化粧枠材３２は、商品収容室２０（商品収容庫２２）の内部に補強フレーム材３１が露出しないように、該補強フレーム材３１を覆うためのものであるとともに、内扉４０を閉動作させて商品収容室２０の前面開口を閉成した場合に、自身が弾性変形して商品収容室２０を気密に保持するためのものである。
【００３０】
このような化粧枠材３２は、取付部３１３の後方に延在する部分（以下、後方延在部という）３１３ａを覆う基部３２１を有している。基部３２１は、取付部３１３の後方延在部３１３ａと略同一の幅を有し、当該後方延在部３１３ａと対向する面には、複数（図示の例では２つ）の凸条３２１ａが形成してある。このため、補強フレーム材３１と化粧枠材３２との間には、上記凸条３２１ａにより空気層３３が形成されることになる。
【００３１】
基部３２１の後方には、係合部３２２及び支持部３２３が形成してある。係合部３２２は、外方に向けて延在した後に前方に向けて延在する部分であり、取付部３１３の後端部と係合するものである。支持部３２３は、係合部３２２の後方側に形成してあり、側板１２，１３に付設された断熱ボード材１７を支持するためのものである。
【００３２】
基部３２１の前方には、被覆部３２４及びシール部３２５が形成してある。被覆部３２４は、取付部３１３の内方に向けて延在する部分（以下、内方延在部という）３１３ｂを被覆するものであり、外側斜め後方に向けて延在している。この被覆部３２４は、内部に中空部３２４ａを有している。シール部３２５は、被覆部３２４の前方側に形成してあり、内扉４０を閉動作させた場合に該内扉４０に当接するものである。
【００３３】
このような化粧枠材３２は、引き抜き成型により一体に形成したものを商品収容室２０の開口長に合わせて切断して作成されたものである。そして、補強フレーム材３１の取付部３１３の後端部に係合部３２２を係合させた後、被覆部３２４及びシール部３２５を取付部３１３に沿って押し込むことにより、仮止めされる。しかる後に、図示せぬネジにより化粧枠材３２を補強フレーム材３１に締結させることにより、化粧枠材３２は、補強フレーム材３１（取付部３１３）に取り付けられる。
【００３４】
図４及び図５は、それぞれ図３に示す補強フレーム材を示すもので、図４は、商品収容室の左側縁部に沿って配設された補強フレーム材の要部を示す斜視図であり、図５は、本体キャビネットに取り付けた状態を示す斜視図である。
【００３５】
ここで例示するように、補強フレーム材３１の取付部３１３には、複数の切欠部３１４が設けてある。切欠部３１４は、例えば矩形状をなしており、取付部３１３における後方延在部３１３ａに、該取付部３１３の長手方向（上下方向）に沿って等間隔で形成してある。ここで切欠部３１４は、補強フレーム材３１自体の強度を保持することができる程度の大きさや数に調整してあり、これら切欠部３１４に対しても、図６に示すように、化粧枠材３２の基部３２１が覆うことになる。
【００３６】
以上のような構成を有する本実施の形態である自動販売機においては、補強フレーム材３１の取付部３１３は、矩形状の切欠部３１４が長手方向に沿って等間隔で設けてあるので、該取付部３１３における後方延在部３１３ａの面積を低減させることができ、該取付部３１３を通じての熱伝導の割合を低下させることが可能になる。しかも、補強フレーム材３１自体の強度を保持することができるので、本体キャビネット１０の剛性を低下させる虞れがない。従って、本実施の形態である自動販売機によれば、本体キャビネット１０の剛性を保持しながら、熱ロスの低減化を図ることができる。
【００３７】
以上、本発明の好適な実施の形態について説明したが、本発明はこれに限定されることなく、種々の変更を行うことができる。
【００３８】
例えば、上述した実施の形態においては、補強フレーム材３１の取付部３１３に形成される切欠部３１４は矩形状をなしていたが、本発明では切欠部の形状は矩形状に限られず、種々の形状を採用することができる。
【００３９】
また、上述した実施の形態では、補強フレーム材３１の取付部３１３に形成された切欠部３１４は、取付部３１３の長手方向に沿って等間隔に形成されていたが、本発明では補強フレーム材自体の強度を保持することができるのであれば、切欠部の間隔は、等間隔に限られない。
【００４０】
また、上述した実施の形態では、商品収容室２０の前面開口の一対の側縁部に配設された補強フレーム材３１について述べたが、本発明では、該前面開口の上縁部に配設された補強フレーム材に切欠部が形成されていても良い。この場合でも本実施の形態と同様の作用効果を奏することができる。
【産業上の利用可能性】
【００４１】
以上のように、本発明に係る自動販売機は、例えば缶入り飲料やペットボトル入り飲料等の商品を販売するのに有用である。
【符号の説明】
【００４２】
１０  本体キャビネット
１１  天板
１２  側板
１３  側板
１４  底板
１５  背板
１６  台座板
１７  断熱ボード材
２０  商品収容室
２１  断熱仕切板
２２  商品収容庫
２３  商品収納ラック
２４  搬出シュータ
３１  補強フレーム材
３１１  前端部
３１２  補強部
３１３  取付部
３１３ａ  後方延在部
３１３ｂ  内方延在部
３１４  切欠部
３２  化粧枠材
３２１  基部
３２１ａ  凸条
３２２  係合部
３２３  支持部
３２４  被覆部
３２４ａ  中空部
３２５  シール部
３３  空気層
４０  内扉
５０  外扉
【図１】
2011108095.tif 000003
【図２】
2011108095.tif 000004
【図３】
2011108095.tif 000005
【図４】
2011108095.tif 000006
【図５】
2011108095.tif 000007
【図６】
2011108095.tif 000008